(57)【要約】  本発明は、シール（４６）によって閉鎖される個別のキャビティ（４４）の配列を画定するトレイ（４２）を有するブリスターパックとの使用のための装置（１Ａ）に関する。消費者製品（例えば、丸薬、錠剤、カプセルなどの薬剤）は、シール（４６）を通って分配されるまで、キャビティに貯蔵される。装置（１Ａ）は、ブリスターパックを支持するホルダ（２）を含み、ブリスターパックのキャビティの内容物が分配される分配チャンバを画定するチャネル（２０、２２）を含む。ブリスターパックは、キャビティの内容物がシール（４６）を通って分配されるとき、内容物がチャネルに受容されるように、各キャビティ（４４）の開口がチャネル（２０、２２）に面する状態で、使用時にホルダ（２）によって支持される。装置（１Ａ）は、適切な接続機構によってホルダ（２）に取り外し可能に接続される電子モジュール（３０）をさらに含む。電子モジュール（３０）は、導電性トラックのパターンの形でシール（４６）上に設けられた各回路を監視するための電子監視手段を含む。使用時に、ブリスターパックの各回路の終端点を含む部分（４８）が、電子モジュール（３０）の電子監視手段と電気的に接続する。
2015536879.tif 000002
【特許請求の範囲】
【請求項１】
使用時にブリスターパック（４０）を支持するホルダ（２；２Ｂ；５６；１０２，１０４）に取り外し可能に接続されるように構成される電子モジュール（３０；６０；１００）であって、前記ブリスターパック（４０）は、消費者製品を受容するための１つまたは２つ以上の個別のキャビティ（４４）を有するトレイと、前記１つまたは２つ以上の個別のキャビティ（４４）をシールするために前記トレイに接着されるシール（４６）とを有し、前記シール（４６）はキャビティごとに回路を画定する導電性トラックのパターンを有し、
前記電子モジュール（３０；６０；１００）は、前記ホルダ（２；２Ｂ；５６；１０２，１０４）が使用時に前記電子モジュール（３０；６０；１００）に接続されるとき、かつ、前記ブリスターパック（４０）の各回路の終端点（５０）を含む部分（４８）が電子監視手段と電気的に接続されるとき、各回路を監視するための電子監視手段を含む電子モジュール（３０；６０；１００）。
【請求項２】
使用時に前記ブリスターパック（４０）の縁部（４８）が挿入されるスロット（３４；８８）をさらに備える、請求項１記載の電子モジュール（３０；６０；１００）。
【請求項３】
前記スロット（３４；８８）が単体構造または複数部分構造の外側ハウジング（３２；５４；９８）に設けられる、請求項２記載の電子モジュール（３０；６０；１００）。
【請求項４】
前記ブリスターパックを選択的に前記スロット内に固定するための、ユーザが操作可能なロック手段をさらに備える、請求項２または３記載の電子モジュール。
【請求項５】
前記電子監視手段が、使用時に前記ブリスターパックの前記終端点と電気的に接続する接点を含む、請求項１〜４のいずれか１項に記載の電子モジュール。
【請求項６】
情報を記憶するためのメモリユニットをさらに備える、請求項１〜５のいずれか１項に記載の電子モジュール。
【請求項７】
情報を送信および／または受信するための通信ユニットをさらに備える、請求項１〜６のいずれか１項に記載の電子モジュール。
【請求項８】
プログラム可能である請求項１〜７のいずれか１項に記載の電子モジュール。
【請求項９】
前記電子モジュールを選択的に前記ホルダに固定するための、ユーザが操作可能なロック手段をさらに備える、請求項１〜８のいずれか１項に記載の電子モジュール。
【請求項１０】
使用時にブリスターパック（４０）を支持するホルダ（２；２Ｂ；５６；１０２，１０４）であって、前記ブリスターパック（４０）は、消費者製品を受容するための１つまたは２つ以上の個別のキャビティ（４４）を有するトレイと、前記１つまたは２つ以上の個別のキャビティ（４４）をシールするために前記トレイに接着されるシール（４６）とを有し、前記シール（４６）はキャビティごとに回路を画定する導電性トラックのパターンを有し、前記ホルダ（２；２Ｂ；５６；１０２，１０４）は、前記ホルダ（２；２Ｂ；５６；１０２、１０４）が使用時に電子モジュール（３０；６０；１００）に接続されるとき、および前記ブリスターパック（４０）の各回路の終端点（５０）を含む部分（４８）が電子監視手段と電気的に接続するとき、各回路を監視するための前記電子監視手段を含む前記電子モジュール（３０；６０；１００）に取り外し可能に接続されるように構成されるホルダ（２；２Ｂ；５６；１０２，１０４）。
【請求項１１】
前記ホルダの略平坦な面が前記ブリスターパックを受容するための浅い凹部を含む、請求項１０記載のホルダ。
【請求項１２】
１つまたは２つ以上の開口部（２６；６４）をさらに備え、各開口部（２６；６４）が、使用時に支持された前記ブリスターパック（４０）の対応する個別のキャビティ（４４）の開口と位置合わせされる、請求項１０または１１記載のホルダ（２；２Ｂ；５６）。
【請求項１３】
前記ブリスターパック（４０）の個別のキャビティ（４４）の配列に対応する開口部（２６；６４）の配列をさらに備える、請求項１０〜１２のいずれか１項に記載のホルダ（２；２Ｂ；５６）。
【請求項１４】
前記ホルダ（２；２Ｂ；５６）は、各個別のキャビティ（４４）の開口が前記ホルダ（２；２Ｂ；５６）の対応する開口部（２６；６４）に面する状態で、使用時に前記ブリスターパック（４０）を支持するように構成される、請求項１２または１３記載のホルダ（２；２Ｂ；５６）。
【請求項１５】
前記ホルダ（２；２Ｂ；５６）は、前記ブリスターパック（４０）のシール（４６）が前記ホルダ（２；２Ｂ；５６）の略平坦な面（５８）と直接接触した状態で、使用時に前記ブリスターパック（４０）を支持するように構成される、請求項１４記載のホルダ（２；２Ｂ；５６）。
【請求項１６】
１つまたは２つ以上の開口部（１２）を有するヒンジ付きの蓋（６）をさらに備え、各開口部（１２）が、使用時に前記ブリスターパック（４０）の対応する個別のキャビティ（４４）を受容するように成形され、寸法決めされる、請求項１５記載のホルダ（２）。
【請求項１７】
前記蓋（６）が、前記ブリスターパック（４０）の個別のキャビティ（４４）の配列に対応する開口部（１２）の配列を含む、請求項１６記載のホルダ（２）。
【請求項１８】
前記蓋（６）は、前記ホルダ（２）の略平坦な面と前記蓋（６）との間に配置される前記支持されたブリスターパック（４０）の各個別のキャビティ（４４）が、前記蓋（６）の対応する開口部（１２）を通って突出する閉鎖位置と、前記ブリスターパック（４０）が前記ホルダ（２）に挿入可能または前記ホルダ（２）から除去可能である開放位置との間で移動可能である、請求項１６または１７記載のホルダ（２）。
【請求項１９】
前記蓋を選択的に前記閉鎖位置に固定するための、ユーザが操作可能なロック手段をさらに備える請求項１８記載のホルダ。
【請求項２０】
使用時に前記ブリスターパック（４０）の縁部（５２）を保持するための、スロットまたは凹部をさらに備える、請求項１４または請求項１５記載のホルダ（２Ｂ）。
【請求項２１】
使用時に前記ブリスターパック（４０）を選択的に前記ホルダ（５６）上に保持するための、ユーザが操作可能な保持手段（９０）をさらに備える、請求項１４または１５記載のホルダ（５６）。
【請求項２２】
前記保持手段（９０）が、使用時に前記ブリスターパック（４０）の縁部（５２）を保持するためのスロットまたは凹部の一部を前記保持手段（９０）が画定する閉鎖位置と開放位置との間で、前記ホルダ（５６）の軸に沿ってスライド可能な、または回転可能な、請求項２１記載のホルダ（５６）。
【請求項２３】
前記ホルダ（２；２Ｂ；５６）の前記１つまたは２つ以上の開口部（２６；６４）と連通する分配チャンバ（２０，２２；６８）をさらに備える、請求項１４〜２２のいずれか１項に記載のホルダ（２；２Ｂ；５６）。
【請求項２４】
前記分配チャンバが、２つまたは３つ以上のチャネル（２０，２２）を含む、請求項２３記載のホルダ（２；２Ｂ）。
【請求項２５】
分配されたキャビティの内容物が前記ホルダ（２；２Ｂ；５６）から除去できるように、前記分配チャンバ（２０，２２；６８）の少なくとも１つの端部が開口部を含む、請求項２３または２４記載のホルダ（２；２Ｂ；５６）。
【請求項２６】
前記ホルダ（５６）の前記１つまたは２つ以上の開口部（６４）と連通する開口凹部（６８Ｇ）をさらに備える、請求項１４〜２２のいずれか１項に記載のホルダ（５６）。
【請求項２７】
ブロック手段（７０）が前記ホルダ（５６）の各開口部（６４）を覆う閉鎖位置と開放位置との間で、前記ホルダ（５６）の軸に沿ってスライド可能な、または回転可能なブロック手段（７０）をさらに備える、請求項２３〜２６のいずれか１項に記載にホルダ（５６）。
【請求項２８】
前記ブロック手段（７０）が、前記開放位置にあるとき、前記ホルダ（５６）の前記１つまたは２つ以上の開口部（６４）と一致する１つまたは２つ以上の開口部（７４）を含む、請求項２７記載のホルダ（５６）。
【請求項２９】
前記ブロック手段を選択的に前記閉鎖位置に保持するための、ユーザが操作可能なロック手段をさらに備える、請求項２７または２８記載のホルダ。
【請求項３０】
前記ユーザが操作可能なロック手段が、子供が操作できないものである請求項２９記載のホルダ。
【請求項３１】
前記ブロック手段（７０）が、前記分配チャンバ（６８）または開口凹部（６８Ｇ）内でスライド可能な、請求項２７〜３０のいずれか１項に記載のホルダ（５６）。
【請求項３２】
前記ホルダ（１０２，１０４）は、各個別のキャビティ（４４）の開口が前記ホルダ（１０２，１０４）の略平坦な面から離れた方を向いた状態で、使用時に前記ブリスターパック（４０）を支持するように構成され、前記ホルダ（１０２，１０４）が、前記ブリスターパック（４０）の前記１つまたは２つ以上の個別のキャビティ（４４）を受容するための１つまたは２つ以上の開口部（１０８）を含む、請求項１０記載のホルダ（１０２，１０４）。
【請求項３３】
閉鎖位置と前記ブリスターパックが前記ホルダに挿入可能または前記ホルダから除去可能である開放位置との間で移動可能であるヒンジ付きの蓋をさらに備える請求項３２記載のホルダ。
【請求項３４】
前記蓋を選択的に前記閉鎖位置に固定するための、ユーザが操作可能なロック手段をさらに備える請求項３３記載のホルダ。
【請求項３５】
前記蓋が１つまたは２つ以上の開口部をさらに備える請求項３３または３４記載のホルダ。
【請求項３６】
使用時に前記ブリスターパック（４０）の縁部（５２）を保持するためのスロットまたは凹部をさらに備える、請求項３２記載のホルダ（１０２，１０４）。
【請求項３７】
使用時に前記ブリスターパックを選択的に前記ホルダ上に保持するための、ユーザが操作可能な保持手段をさらに備える、請求項３２記載のホルダ。
【請求項３８】
前記保持手段が、使用時に前記ブリスターパックの縁部（５２）を保持するためのスロットまたは凹部の一部を前記保持手段が画定する閉鎖位置と開放位置との間で、前記ホルダの軸に沿ってスライド可能な、または回転可能な、請求項３７記載のホルダ。
【請求項３９】
前記ブロック手段（１１０）が前記ブリスターパック（４０）の各個別のキャビティ（４４）に対応する前記シール（４６）の１つまたは２つ以上の除去可能な部分を覆う閉鎖位置と、各除去可能な部分がアクセス可能な開放位置との間で、前記ホルダ（１０２，１０４）の軸に沿ってスライド可能な、または回転可能なブロック手段（１１０）をさらに備える、請求項３２〜３８のいずれか１項に記載のホルダ（１０２，１０４）。
【請求項４０】
前記ブロック手段（１１０）が、開放位置にあるとき、前記シール（４６）の前記１つまたは２つ以上の除去可能な部分と一致する１つまたは２つ以上の開口部（１１６）を含む、請求項３９記載のホルダ（１０２，１０４）。
【請求項４１】
前記ブロック手段（１１０）を選択的に前記閉鎖位置に保持するための、ユーザが操作可能なロック手段（１１８ａ，１１８ｂ）をさらに備える、請求項３９または４０記載のホルダ（１０２，１０４）。
【請求項４２】
前記ユーザが操作可能なロック手段（１１８ａ，１１８ｂ）が、子供が操作できないものである請求項４１記載のホルダ（１０２，１０４）。
【請求項４３】
使用時に前記ブリスターパック（４０）を前記ホルダ（５６）に対して位置合わせするための位置合わせ機構（６２）をさらに備える、請求項１０〜４２のいずれか１項に記載のホルダ（５６）。
【請求項４４】
前記ホルダ（２；２Ｂ）を選択的に前記電子モジュール（３０）に固定するための、ユーザが操作可能なロック手段をさらに備える請求項１０〜４３のいずれか１項に記載のホルダ（２；２Ｂ）。
【請求項４５】
消費者製品を受容するための１つまたは２つ以上の個別のキャビティ（４４）を有するトレイと、前記１つまたは２つ以上の個別のキャビティ（４４）をシールするために前記トレイに接着されるシール（４６）とを有するブリスターパック（４０）との使用のための装置（１Ａ；１Ｂ）であって、前記シール（４６）がキャビティ（４４）ごとに回路を画定する導電性トラックのパターンを有し、
前記装置（１Ａ；１Ｂ）は、
前記ブリスターパック（４０）を支持するホルダ（２；２Ｂ）と、
前記ホルダ（２；２Ｂ）に取り外し可能に接続される電子モジュール（３０）とを備え、
前記電子モジュール（３０）が、前記ブリスターパック（４０）の各回路の終端点（５０）を含む部分（４８）が電子監視手段と電気的に接続するとき、前記電子モジュール（３０）が各回路を監視するための前記電子監視手段を含む、装置（１Ａ；１Ｂ）。
【請求項４６】
消費者製品を受容するための１つまたは２つ以上の個別のキャビティ（４４）を有するトレイと、前記１つまたは２つ以上の個別のキャビティ（４４）をシールするために前記トレイに接着されるシール（４６）とを有するブリスターパック（４０）との使用のための装置（１Ｃ；１Ｄ；１Ｅ；１Ｆ；１Ｇ）であって、前記シール（４６）がキャビティ（４４）ごとに回路を画定する導電性トラックのパターンを有し、
前記装置（１Ｃ；１Ｄ；１Ｅ；１Ｆ；１Ｇ）は、
前記ブリスターパック（４０）を支持するホルダ（５６；１０２；１０４）と、
前記ホルダ（５６；１０２；１０４）と一体化した電子モジュール（６０；１００）とを備え、
前記電子モジュール（６０；１００）が、前記ブリスターパック（４０）の各回路の終端点（５０）を含む部分（４８）が電子監視手段と電気的に接続するとき、前記電子モジュール（６０；１００）が各回路を監視するための前記電子監視手段を含む、装置（１Ｃ；１Ｄ；１Ｅ；１Ｆ；１Ｇ）。
【請求項４７】
前記ホルダの一部および前記一体化した電子モジュール（６０；１００）を画定する第１のハウジング部（５６；１０２）と、第２のハウジング部（６６；１０４）とを有する２つの部分からなる構造を有する、請求項４６記載の装置（１Ｃ；１Ｄ；１Ｅ；１Ｆ；１Ｇ）。
【請求項４８】
前記電子モジュール（３０；６０；１００）または第１のハウジング部（５６；１０２）が、使用時に前記ブリスターパック（５０）の縁部（４８）が挿入されるスロット（３４，８８，１１４）をさらに備える、請求項４５〜４７のいずれか１項に記載の装置（１Ａ；１Ｂ；１Ｃ；１Ｄ；１Ｅ；１Ｆ；１Ｇ）。
【請求項４９】
前記スロット（３４，８８，１１４）が、単体構造または複数部分構造の外側ハウジング（３２，５４，９８）に設けられる、請求項４８記載の装置（１Ａ；１Ｂ；１Ｃ；１Ｄ；１Ｅ；１Ｆ；１Ｇ）。
【請求項５０】
前記電子モジュールが、前記ブリスターパックを選択的に前記スロット内に固定するための、ユーザが操作可能なロック手段をさらに備える、請求項４８または４９記載の装置。
【請求項５１】
前記電子監視手段が、使用時に前記ブリスターパックの前記終端点と電気的に接続する接点を含む、請求項４５〜５０のいずれか１項に記載の装置。
【請求項５２】
前記電子モジュールが、情報を記憶するためのメモリユニットをさらに備える、請求項４５〜５１のいずれか１項に記載の装置。
【請求項５３】
前記電子モジュールが、情報を送信および／または受信するための通信ユニットをさらに備える、請求項４５〜５２のいずれか１項に記載の装置。
【請求項５４】
前記電子モジュールがプログラム可能である請求項４５〜５３のいずれか１項に記載の装置。
【請求項５５】
前記電子モジュールを選択的に前記ホルダに固定するための、ユーザが操作可能なロック手段をさらに備える請求項４５、４７〜５４のいずれか１項に記載の装置。
【請求項５６】
前記ホルダの略平坦な面が前記ブリスターパックを受容するための浅い凹部を含む、請求項４５〜５５のいずれか１項に記載の装置。
【請求項５７】
１つまたは２つ以上の開口部（２６；６４）をさらに備え、各開口部（２６；６４）が、使用時に支持された前記ブリスターパック（４０）の対応する個別のキャビティ（４４）の開口と位置合わせされる、請求項４５〜５６のいずれか１項に記載の装置（１Ａ；１Ｂ；１Ｃ；１Ｄ；１Ｇ）。
【請求項５８】
前記ブリスターパック（４０）の個別のキャビティ（４４）の配列に対応する開口部（２６；６４）の配列をさらに備える、請求項４５〜５７のいずれか１項に記載の装置（１Ａ；１Ｂ；１Ｃ；１Ｄ；１Ｇ）。
【請求項５９】
前記ホルダ（２；２Ｂ；５６）は、各個別のキャビティ（４４）の開口が前記ホルダ（２；２Ｂ；５６）の対応する開口部（２６；６４）に面する状態で、使用時に前記ブリスターパック（４０）を支持するように構成される、請求項５７または５８記載の装置（１Ａ；１Ｂ；１Ｃ；１Ｄ；１Ｇ）。
【請求項６０】
前記ホルダ（２；２Ｂ；５６）は、前記ブリスターパック（４０）のシール（４６）が前記ホルダ（２；２Ｂ；５６）の略平坦な面（５８）と直接接触した状態で、使用時に前記ブリスターパック（４０）を支持するように構成される、請求項５９記載の装置（１Ａ；１Ｂ；１Ｃ；１Ｄ；１Ｇ）。
【請求項６１】
１つまたは２つ以上の開口部（１２）を有するヒンジ付きの蓋（６）をさらに備え、各開口部（１２）が、使用時に前記ブリスターパック（４０）の対応する個別のキャビティ（４４）を受容するように成形され、寸法決めされる、請求項６０記載の装置（１Ａ）。
【請求項６２】
前記蓋（６）が、前記ブリスターパック（４０）の個別のキャビティ（４４）の配列に対応する開口部（１２）の配列を含む、請求項６１記載の装置（１Ａ）。
【請求項６３】
前記蓋（６）は、
前記ホルダ（２）の略平坦な面と前記蓋（６）との間に配置される、支持された前記ブリスターパック（４０）の各個別のキャビティ（４４）が、前記蓋の対応する開口部（１２）を通って突出する閉鎖位置と、前記ブリスターパック（４０）が前記ホルダ（２）に挿入可能または前記ホルダ（２）から除去可能である開放位置との間で移動可能である、請求項６１または６２記載の装置（１Ａ）。
【請求項６４】
前記蓋を選択的に前記閉鎖位置に固定するための、ユーザが操作可能なロック手段をさらに備える請求項６３記載の装置。
【請求項６５】
使用時に前記ブリスターパック（４０）の縁部（５２）を保持するためのスロットまたは凹部をさらに備える、請求項５９または６０記載の装置（１Ｂ）。
【請求項６６】
使用時に前記ブリスターパック（４０）を選択的に前記ホルダ（５６）上に保持するためのユーザが操作可能な保持手段（９０）をさらに備える、請求項５９または６０記載の装置（１Ｄ）。
【請求項６７】
前記保持手段（９０）が、使用時に前記ブリスターパック（４０）の縁部（５２）を保持するためのスロットまたは凹部の一部を前記保持手段（９０）が画定する閉鎖位置と開放位置との間で、前記ホルダ（５６）の軸に沿ってスライド可能な、または回転可能な、請求項６６記載の装置（１Ｄ）。
【請求項６８】
前記ホルダ（２；２Ｂ；５６）の前記１つまたは２つ以上の開口部（２６；６４）と連通する分配チャンバ（２０，２２；６８）をさらに備える、請求項５９〜６７のいずれか１項に記載の装置（１Ａ；１Ｂ；１Ｃ；１Ｄ）。
【請求項６９】
前記分配チャンバが、２つまたは３つ以上のチャネル（２０，２２）を含む、請求項６８記載の装置（１Ａ；１Ｂ）。
【請求項７０】
前記分配チャンバ（２０，２２；６８）の少なくとも１つの端部が、キャビティの分配された内容物が前記ホルダ（２；２Ｂ；５６）から除去できるように開口部を含む、請求項６８または６９記載の装置（１Ａ；１Ｂ；１Ｃ；１Ｄ）。
【請求項７１】
前記ホルダ（５６）の前記１つまたは２つ以上の開口部（６４）と連通する開口凹部（６８Ｇ）をさらに備える、請求項５９〜６７のいずれか１項に記載の装置（１Ｇ）。
【請求項７２】
ブロック手段（７０）をさらに備え、前記ブロック手段（７０）が前記ホルダ（５６）の各開口部（６４）を覆う閉鎖位置と開放位置との間で、前記ホルダ（５６）の軸に沿ってスライド可能、または回転可能である、請求項６８〜７１のいずれか１項に記載に装置（１Ｃ；１Ｄ；１Ｇ）。
【請求項７３】
前記ブロック手段（７０）が、前記開放位置にあるとき、前記ホルダ（５６）の前記１つまたは２つ以上の開口部（６４）と一致する１つまたは２つ以上の開口部（７４）を含む、請求項７２記載の装置（１Ｃ；１Ｄ；１Ｇ）。
【請求項７４】
前記ブロック手段を選択的に前記閉鎖位置に保持するための、ユーザが操作可能なロック手段をさらに備える、請求項７２または７３記載の装置。
【請求項７５】
前記ユーザが操作可能なロック手段が、子供が操作できないものである請求項７４記載の装置。
【請求項７６】
前記ブロック手段（７０）が、前記分配チャンバ（６８）または開口凹部（６８Ｇ）内でスライド可能な、請求項７２〜７５のいずれか１項に記載の装置（１Ｃ；１Ｄ；１Ｇ）。
【請求項７７】
前記ホルダ（１０２，１０４）は、各個別のキャビティ（４４）の開口が前記ホルダ（１０２，１０４）の略平坦な面から離れた方を向いた状態で、使用時に前記ブリスターパック（４０）を支持するように構成され、前記ホルダ（１０２，１０４）が、前記ブリスターパック（４０）の前記１つまたは２つ以上の個別のキャビティ（４４）を受容するための１つまたは２つ以上の開口部（１０８）を含む、請求項４５〜５６のいずれか１項に記載の装置（１Ｅ；１Ｆ）。
【請求項７８】
閉鎖位置と前記ブリスターパックが前記ホルダに挿入可能または前記ホルダから除去可能である開放位置との間で移動可能であるヒンジ付きの蓋をさらに備える請求項７７記載の装置。
【請求項７９】
前記蓋を選択的に前記閉鎖位置に固定するための、ユーザが操作可能なロック手段をさらに備える請求項７８記載の装置。
【請求項８０】
前記蓋が１つまたは２つ以上の開口部をさらに備える請求項７８または７９記載の装置。
【請求項８１】
使用時に前記ブリスターパック（４０）の縁部（５２）を保持するためのスロットまたは凹部をさらに備える、請求項７７記載の装置（１Ｅ；１Ｆ）。
【請求項８２】
使用時に前記ブリスターパックを選択的に前記ホルダ上に保持するための、ユーザが操作可能な保持手段をさらに備える、請求項７７記載の装置。
【請求項８３】
使用時に前記ブリスターパックの縁部を保持するためのスロットまたは凹部の一部を前記保持手段が画定する閉鎖位置と、開放位置との間で、前記保持手段が前記ホルダの軸に沿ってスライド可能な、または回転可能な、請求項７７記載の装置。
【請求項８４】
前記ブロック手段（１１０）が前記ブリスターパック（４０）の各個別のキャビティ（４４）に対応する前記シール（４６）の１つまたは２つ以上の除去可能な部分を覆う閉鎖位置と、各除去可能な部分がアクセス可能な開放位置との間で、前記ホルダ（１０２，１０４）の軸に沿ってスライド可能な、または回転可能なブロック手段（１１０）をさらに備える、請求項７７〜８３のいずれか１項に記載の装置（１Ｅ；１Ｆ）。
【請求項８５】
前記ブロック手段（１１０）が、開放位置にあるとき、前記シール（４６）の前記１つまたは２つ以上の除去可能な部分と一致する１つまたは２つ以上の開口部（１１６）を含む、請求項８４記載の装置（１Ｅ；１Ｆ）。
【請求項８６】
前記ブロック手段（１１０）を選択的に前記閉鎖位置に保持するための、ユーザが操作可能なロック手段（１１８ａ，１１８ｂ）をさらに備える、請求項８４または８５記載の装置（１Ｅ；１Ｆ）。
【請求項８７】
前記ユーザが操作可能なロック手段（１１８ａ，１１８ｂ）が、子供が操作できないものである請求項８６記載の装置（１Ｅ；１Ｆ）。
【請求項８８】
使用時に前記ブリスターパック（４０）を前記ホルダ（５６）に対して位置合わせするための位置合わせ機構（６２）をさらに備える、請求項４５〜８７のいずれか１項に記載の装置（１Ｃ；１Ｄ；１Ｇ）。
【発明の詳細な説明】
【技術分野】
【０００１】
本発明は、ブリスターパックとの使用のための装置に関する。その中に複数の個別のキャビティが形成され、キャビティがシールによって閉鎖されるトレイを有するブリスターパック内に、消費者製品が包装される。消費者製品とは、以下の（全てを網羅しているわけではない）リストに挙げられるような多種多様な製品を含むことが意図されている。調理済みの食事を含む、即席の食品、予備調理された食品、調理済みの食品、またはオーブンで温めるだけの食品、菓子、ハードウェア装置およびＤＩＹアイテム、化粧品、種子、動物および魚の餌、電子部品、医療器具および包帯、ならびに丸薬、錠剤およびカプセルなどの医薬品および薬剤。
【０００２】
このブリスターパックは、所定の投薬計画に従った引き続く分配のために混合薬剤を編成および貯蔵するために用いられてもよい。このような混合薬剤の容器の背後にある原理は、１週間またはそれ以上の期間に及ぶ混合薬剤の投薬計画を前もって編成でき、患者または介護者が、投薬計画による各時点で投与されるべき１つまたは２つ以上の丸薬、錠剤および／またはカプセルを、その期間に所定の回数で容器から取り出すことができるというものである。
【背景技術】
【０００３】
ブリスターパックは丸薬、錠剤およびカプセルの貯蔵および分配のためのものとして当然ながら周知であって、これらはマルチキャビティトレイ（multi-cavity tray）のキャビティに貯蔵されており、キャビティを覆う破ることが可能なフィルムまたは箔を突き破ってそれぞれの丸薬、錠剤またはカプセルを押し出すことによって取り出される。このようなブリスターパックは通常、各キャビティに同一の薬剤を一回分のみ保持するが、薬剤の混合物が入れられてもよい。通常は、混合薬剤用に、トレイは２×７、３×７、４×７、５×７配列のキャビティを有してもよく、これは、７日間にわたる１日に２、３、４または５回の所定の投薬回数、あるいは２、３、４または５週間にわたって１日に１回として処方された投薬に対応している。例えば、４×７のトレイは、１週間にわたって毎日朝食時、昼食時、夕方、就寝直前に服用されるべき薬剤が入れられてもよく、その後、充填されたキャビティは、破ることが可能な、または順次破ることが可能なフィルムまたは箔のカバーを用いてシールされる。
【０００４】
例えば、破ることが可能なシールを突き破って内容物を押し出すことによって、あるいはシールがキャビティごとに除去可能な部分を有する場合、シールに開口部を作り、それを通じてキャビティの内容物が分配できるように除去可能な部分を除去することによって、ブリスターパックまたは複数投薬の分配容器の特定のキャビティの内容物が分配されるときを検出することによって投薬量順守を監視することが知られている。例えば、キャビティの内容物が分配されるとき、破られるシール上に導電性トラックのパターンまたは配列を設けることができる。電子モジュールが、特定の投薬計画（すなわち、特定の薬剤が患者または介護者によって分配されるべきときの時間情報）を用いてプログラムすることができ、薬剤が適切に分配されているかどうかを判定するために導電性トラックの整合性を監視することができる。プログラムされた投薬計画情報はまた、薬剤がとられるべきときに患者または介護者に知らせるまたは警告するために、またさらに例えば視覚標識を与えることによって患者または介護者が内容物が分配されるべき特定のキャビティを識別するのを助けるためにも、用いることができる。キャビティが薬剤以外の消費者製品で充填されている場合、特定のキャビティの内容物が分配されるべきとき、または分配されるべきでないときのために時間情報を与えることができる。これは、例えばセキュリティ、異物混入検出または在庫管理目的のために用いることができる。
【発明の概要】
【０００５】
本発明は、消費者製品を受容するための１つまたは２つ以上の個別のキャビティを有するトレイおよび１つまたは２つ以上の個別のキャビティをシールするためにトレイに接着されたシールを有する、ブリスターパック、分配容器、または複数投薬分配容器（以下「ブリスターパック」と呼ばれる）との使用のための装置を提供する。このシールはキャビティごとに回路を画定する導電性トラックのパターンを有する。装置自体は、使用時にブリスターパックを支持するためのホルダ、および投薬量順守、セキュリティ、異物混入検出または在庫管理目的などのために回路の保全性を監視するための電子モジュールを備える。
【０００６】
ブリスターパックが本発明の一部を形成しないことは容易に理解される。ブリスターパックは、例えば２×７、３×７、４×７、５×７配列などのキャビティの任意の適切な配列に配置された任意の適切な数の個別のキャビティを有することができる。ホルダは通常、下記により詳細に記載するように整合構造を備える。それぞれの異なる種類のブリスターパックは通常、独特の種類のホルダを必要とし、本発明の一配置においては、異なるホルダが同じ電子モジュールと使用されてもよい。一配置において、電子モジュールはまた、ホルダによって物理的に支持されないブリスターパックと使用されてもよい。言い換えると、電子モジュールは通常、特にブリスターパックを支持するホルダと使用されるように構成されるが、電子モジュールはまた、一配置において、特定の状況で、そのようなホルダなしで使用されてもよい。
【０００７】
ブリスターパックのシールは、任意の適切な単層または多層の構造を有することができ、破ることが可能または破ることが不可能であってもよく、すなわちキャビティごとに除去可能な部分を有する。導電性トラックのパターンは、任意の適切な技術を用いてシールに付加されてもよいし、あるいは組み込まれてもよい。しかしながら、好適な一選択肢は、導電性インクを用いて導電性トラックをシールの表面に印刷することである。破ることが可能なシールの場合、各回路が対応する個別のキャビティと位置合わせされ、位置合わせされたキャビティの内容物が、破ることが可能なシールを突き破って押し出されるとき回路が遮断され、これが電子モジュールに記録される。破ることが不可能なシールの場合、シールは、キャビティごとに除去可能な部分を画定するあらかじめ形成された分離線を含むことができ、除去可能な部分が分離線に沿って除去されるまで、消費者製品をキャビティ内に留めておく。それぞれの除去可能な部分は、対応するあらかじめ形成された分離線の切れ目により画定され、対応する回路に経路を与える、脆弱なブリッジ領域によってシールの残りの部分に付けることができる。脆弱なブリッジ領域は、対応する除去可能な部分がその分離線に沿ってシールの残りの部分から取り外しまたは引き離されるときに引き裂かれるように設計されている。脆弱なブリッジ領域を引き裂くと、脆弱なブリッジ領域（すなわち切れ目によって画定される経路）に沿って延びる対応する回路が遮断され、これは電子モジュールによって記録される。それぞれの除去可能な部分は、除去可能な部分を除去する前に、ユーザが把持することのできる突起部を含むことができる。
【０００８】
本発明は、上述のようにブリスターパックを支持するホルダに取り外し可能に接続されるように構成される電子モジュールをさらに提供し（ホルダは適宜分配チャンバを含み、キャビティの内容物がシールを通って分配されるとき、内容物が分配チャンバに受容されるように、支持されたブリスターパックの各キャビティの開口が分配チャンバに面する状態で、使用中にブリスターパックを支持するように構成される）、電子モジュールは、ホルダが使用時に電子モジュールに接続されるときに、およびブリスターパックの各回路の終端点を含む部分が電子監視手段と電気的に接続するときに、各回路を監視するための電子監視手段を含む。
【０００９】
ホルダの略平坦な面はブリスターパックを受容するための浅い凹部を含むことができる。ブリスターパックは、使用時にホルダによって物理的に支持される。ホルダは、ホルダによって支持されるブリスターパックの１つまたは２つ以上の個別のキャビティと一致する１つまたは２つ以上の開口部またはアパーチャを含むことができる。一配置において、ホルダは、１つまたは２つ以上の開口部を備えた、適切な厚さの（例えば、プラスチック材料の）単純なシートであってもよい。ブリスターパックは、それぞれ個別のキャビティの開口が対応する開口部またはアパーチャに面するように、すなわち個別のキャビティがホルダから離れた方を向き、ユーザが自由にアクセスできるように、ホルダ上に配置することができる。キャビティの内容物がキャビティ上で押し下げられることによって分配されるとき、消費者製品はホルダの対応する開口部またはアパーチャを通過して、ホルダによって画定された下にある開口凹部または分配チャンバに適宜入る。ホルダが分配チャンバを含む場合、内容物がホルダの端部の開口部を通じて分配チャンバから落ちるようにホルダを傾けることによって、分配されたキャビティの内容物が、適宜適切な入れ物に分配されてもよい。
【００１０】
ホルダは子供が操作できないようにすることができる。これは、消費者製品が薬剤を含む場合、特に重要である。ホルダは、ブロック手段がホルダの各開口部またはアパーチャを覆う閉鎖位置と、開放位置との間で、ホルダの軸（例えば、縦軸）に沿って、通常スライド可能に移動可能な、または回転可能な、ブロック手段（または子供用安全機構）を含むことができる。ブロック手段が開放位置にあるとき、ホルダの各開口部またはアパーチャは通常、分配チャンバまたは開口凹部と開放連通する。ブロック手段が閉鎖位置にあるとき、対応する開口部またはアパーチャと分配チャンバまたは開口凹部との間に通常配置されるブロック手段によって、個別のキャビティの内容物は適切に分配できず、個別のキャビティまたはホルダの対応する開口部またはアパーチャに留まる。しかしながら、ブロック手段はまた、ホルダの対応する開口部またはアパーチャとブリスターパックのシールとの間に設けることもできる。
【００１１】
ブロック手段は、ブロック手段が開放位置にあるとき、ホルダの１つまたは２つ以上の開口部と一致する、１つまたは２つ以上の開口部を含むことができる。ユーザが操作可能なロック手段は、ブロック手段を選択的に閉鎖位置に保持するためにホルダ上に設けることができる。言い換えれば、ブロック手段が開放位置に移動される前に、ユーザが操作可能なロック手段は、ユーザによって作動させられるか操作されなければならない。ユーザが操作可能なロック手段は、子供が操作できないようにすることが好ましく、すなわち、子供によって物理的に作動または操作が不可能なように設計される。これは、ブロック手段が大人のユーザによって閉鎖位置から開放位置に移動させられることを確実にする。
【００１２】
ブロック手段は、ホルダの分配チャンバまたは開口凹部内でスライド可能であってもよい。
【００１３】
ホルダが、ヒンジ付きの蓋を閉鎖位置（下記を参照）で保持するための、ユーザが操作可能な保持手段またはロック手段をさらに含む場合、例えば、ユーザが操作可能なロック手段を作動または操作することによってブロック手段を開放位置に移動させた後、保持手段またはヒンジ付きの蓋を閉鎖位置から開放位置へ移動させることができるように、保持手段またはロック手段の動作はブロック手段と連動されてもよい。これは、ブリスターパックが子供によってホルダから除去されることを防ぐため、さらなる子供が操作できない機構を提供する。
【００１４】
ブリスターパックは、シールがホルダの略平坦な面に直接接触した状態で、ホルダによって支持されてもよい。
【００１５】
ホルダおよびブリスターパックが使用時に適切に位置合わせされることを確実にするために、ホルダおよびブリスターパックのいずれかまたは両方が、位置合わせ機構を有することができる。
【００１６】
ホルダは通常、個別のキャビティの配列に対応する開口部またはアパーチャの配列を含む。
【００１７】
ホルダは、１つまたは２つ以上の開口部またはアパーチャを有するヒンジ付きの蓋をさらに含むことができ、各開口部が、使用時にブリスターパックまたは分配容器の対応する個別のキャビティを受容するように成形され、寸法決めされる。この蓋は通常、個別のキャビティの配列に対応する開口部またはアパーチャの配列を含む。蓋が閉鎖位置にあるとき、支持されたブリスターパックは、ホルダの略平坦な面と蓋との間でしっかりと位置づけることができる。この閉鎖位置において、各キャビティにユーザがアクセス可能なように、各キャビティは蓋の対応する開口部またはアパーチャを通って突出する。個別のキャビティの配列は、蓋に設けられた単一の開口部またはアパーチャに受容されてもよい。言い換えれば、それぞれの個別のキャビティは、蓋の対応する開口部またはアパーチャを有する必要はない。蓋は、ブリスターパックまたは分配容器がホルダに挿入できる、またはホルダから除去できる、開放位置に移動させることができる。蓋が閉鎖位置にあるとき、蓋の開口部またはアパーチャは通常、ホルダの略平坦な面の開口部またはアパーチャと一致する。
【００１８】
蓋は、選択的に閉鎖位置に固定することができる。例えば、蓋が閉鎖されるとき係合するように、またブリスターパックが挿入されたり、すでに挿入されたブリスターパックを除去することができるように蓋を開く必要があるときにユーザが外すことができるように、適切な摩擦または圧入機構を設けることができる。また、蓋を選択的に閉鎖位置に固定するためのユーザが操作可能なロック手段が提供されてもよい。
【００１９】
ホルダの蓋と本体は、分離してまたは一体的に形成されてもよい。
【００２０】
ホルダは、蓋を含まない場合、使用時にブリスターパックの各縁部を保持するための少なくとも１つのスロットまたは凹部を含むことができる。ホルダがブリスターパックの縁部を保持するためのスロットまたは凹部（あるいは向かい合う縁部を保持するための一組のスロットまたは凹部）を含む場合、ブリスターパックを挿入および／または除去するとき、ブリスターパックのトレイはわずかに屈曲させるか曲げる必要がある場合がある。
【００２１】
ブリスターパックをホルダ上に取り外し可能に保持する他の方法を提供することができる。例えば、ホルダはユーザが操作可能な保持手段を含むことができ、保持手段は、ホルダ使用時にブリスターパックの縁部を保持するためのスロットまたは凹部の一部を保持手段が画定する、あるいはブリスターパックを適切な位置に保持し、除去されるのを防ぐ閉鎖位置と、開放位置との間で、適宜ホルダの軸（例えば横軸）に沿ってスライド可能、または回転可能である。いくつかの配置において、ブリスターパックは取り外し可能に保持される必要はなく、例えば、単にホルダの略平坦な面に設けられた浅い凹部に置かれてもよい。
【００２２】
ホルダは任意の適切な材料（例えばプラスチック材料）から作製されてもよく、分配チャンバまたは開口凹部の外周を画定する側壁を含むことができる。
【００２３】
一配置において、分配チャンバは１つまたは２つ以上のチャネルを含むことができる。より詳細には、１つまたは２つ以上の壁が、分配チャンバを別々のチャネルに分けるために用いることができる。チャネルは通常、ブリスターキャビティの配置に一致するように、すなわち各チャネルがキャビティの配列に位置合わせされるように、成形され、寸法決めされる。端部のチャネルは、壁と、分配チャンバの外周を画定するハウジングの側壁との間で画定されてもよい。
【００２４】
各チャネルの少なくとも１つの端部は、分配されたキャビティの内容物がホルダから除去できるように、開放されてもよいし、あるいは開口部を含んでもよい。例えば、個別のキャビティの内容物が分配チャンバのチャネルに分配されると、分配された消費者製品がチャネルから適切な入れ物に落ちるように、ホルダを傾けることができる。
【００２５】
一配置において、ユーザは、キャビティの内容物が、破ることが可能なまたは破ることが不可能なシールを通って押し出されるように、特定のキャビティを押し下げることができる。破ることが不可能なシールの場合、ユーザが個別のキャビティを押し下げ、内容物が、除去可能な部分がシールの残りの部分から分離されるときに作られる開口部を通って分配されるとき、シールは、あらかじめ形成された分離線（例えば、引き裂き線、ミシン目、または切れ目）に沿って分離されることが好ましい。上述のように、キャビティの内容物は適宜、ホルダの位置合わせされた開口部またはアパーチャを通り抜けて開口凹部または分配チャンバに入り、そこからユーザによって除去され得る。
【００２６】
一配置において、ホルダは、各個別のキャビティの開口がホルダの略平坦な面から離れた方を向いた状態でブリスターパックを支持するように構成されるように、すなわちユーザがシールに自由にアクセス可能なように、ブリスターパックはホルダ上に配置することができ、ホルダは、ブリスターパックの１つまたは２つ以上の個別のキャビティを受容するための１つまたは２つ以上の開口部、アパーチャ、またはチャンバを含む。個別のキャビティの配列は、ホルダに設けられた単一の開口部、アパーチャ、またはチャンバに受容されてもよい。あるいは、各個別のキャビティは、対応する開口部、アパーチャ、またはチャンバに受容されてもよい。この配置は、シールのそれぞれの除去可能な部分が、除去可能な部分を除去する前にユーザが把持することのできる突起部を含む場合に有用であり、それによって下にあるキャビティの内容物が、シールに新しく作られた開口部を通って分配され得る。
【００２７】
そのようなホルダはまた、子供が操作できないようにすることもできる。ホルダはブロック手段（あるいは子供用安全機構）を含むことができ、ブロック手段はブリスターパックのそれぞれの個別のキャビティに対応したシールの１つまたは２つ以上の除去可能な部分を覆う閉鎖位置と、それぞれの除去可能な部分がアクセス可能な開放位置との間で、通常、ホルダの軸（例えば縦軸）に沿ってスライド可能に移動可能、あるいは、回転可能である。ブロック手段は、ブロック手段が開放位置にあるとき、シールの１つまたは２つ以上の除去可能な部分と一致する１つまたは２つ以上の開口部を含むことができる。ユーザが操作可能なロック手段は、ブロック手段を選択的に閉鎖位置に保持するためにホルダ上に設けることができる。ユーザが操作可能なロック手段は、上述のように子供が操作できないことが好ましい。
【００２８】
ホルダは、蓋が閉鎖位置にあるときに、支持されたブリスターパックがホルダの略平坦な面と蓋との間でしっかりと位置づけされるようにヒンジ付きの蓋をさらに含むことができる。蓋は、個別のキャビティの配列に対応する開口部またはアパーチャの配列を含むことができる。シールのそれぞれの除去可能な部分へのアクセスは、蓋の対応する開口部またはアパーチャを通じて提供することができる。除去可能な部分の配列は、蓋に設けられた単一の開口部またはアパーチャを通じてアクセスされてもよい。あるいは、蓋は、開口部またはアパーチャの配列なしに設けることができ、その場合、蓋は、支持されたブリスターパックのシールへアクセス可能とするために開放されなければならない。蓋は、ブリスターパックまたは分配容器をホルダに挿入できる、あるいはホルダから除去できる、開放位置に移動させることができる。
【００２９】
蓋は、選択的に閉鎖位置に固定することができる。例えば、蓋が閉鎖されるとき係合するように、またブリスターパックが挿入されたり、すでに挿入されたブリスターパックを除去することができるように蓋を開く必要があるときにユーザが外すことができるように、適切な摩擦または圧入機構を設けることができる。また、蓋を選択的に閉鎖位置に固定するためのユーザが操作可能なロック手段が提供されてもよい。
【００３０】
ホルダの蓋と本体は、分離してまたは一体的に形成されてもよい。
【００３１】
ホルダは、蓋を含まない場合、使用時にブリスターパックの各縁部を保持するための少なくとも１つのスロットまたは凹部を含むことができる。ホルダがブリスターパックの縁部を保持するためのスロットまたは凹部（あるいは向かい合う縁部を保持するための一組のスロットまたは凹部）を含む場合、ブリスターパックを挿入および／または除去するとき、ブリスターパックのトレイはわずかに屈曲させるか曲げる必要がある場合がある。
【００３２】
ブリスターパックをホルダ上に取り外し可能に保持する他の方法を提供することができる。例えば、ホルダはユーザが操作可能な保持手段を含むことができ、保持手段は、ホルダ使用時にブリスターパックの縁部を保持するためのスロットまたは凹部の一部を保持手段が画定する、あるいはブリスターパックを適切な位置に保持し、除去されるのを防ぐ閉鎖位置と、開放位置との間で、適宜ホルダの軸（例えば横軸）に沿ってスライド可能、または回転可能である。いくつかの配置において、ブリスターパックは取り外し可能に保持される必要はなく、例えば、単にホルダの略平坦な面に設けられた浅い凹部に置かれてもよい。
【００３３】
ホルダが、ヒンジ付きの蓋を閉鎖位置（上記を参照）で保持するための、ユーザが操作可能な保持手段またはロック手段をさらに含む場合、例えば、ユーザが操作可能なロック手段を作動または操作することによってブロック手段を開放位置に移動させた後、保持手段またはヒンジ付きの蓋を閉鎖位置から開放位置へ移動させることができるように、保持手段またはロック手段の動作は任意のブロック手段と連動されてもよい。
【００３４】
電子モジュールは通常、単体構造または複数部分構造の外側ハウジングにスロットを含み、その中に、使用時、ブリスターパックの縁部が挿入される。電子モジュールは、ブリスターパックを選択的にスロット内に固定するためのユーザが操作可能なロック手段をさらに含むことができる。そのようなユーザが操作可能なロック手段は、ブリスターパック上に設けられたロック機構と係合することができる。スロットに挿入されるブリスターパックの縁部は、上述の終端点を含む。各回路は、回路の始まりと終わりに相当する一組の終端点を含むことができる。電子監視手段は、終端点と電気的に接続する任意の適切な接点を含むことができ、それによって電子監視モジュールは、いつ特定の回路が遮断されたかを判定し記録することができる。いつ特定の回路が遮断されたかを監視することによって、電子モジュールは、いつキャビティの内容物が分配され、それが起こった時刻を判定することができる。記録された情報は電子モジュール内（例えばメモリユニット内）に記憶することができるか、あるいは遠隔装置に送信またはアップロードすることができる。例えば、電子モジュールは、定期的にまたは回路が遮断されたときに情報を送信できるようにする通信ユニットを含むことができる。情報はまた、通信ユニットによって電子モジュールにダウンロードすることができる。通信ユニットは任意の適切な無線通信を用いることができ、あるいは電子モジュールを遠隔装置に物理的に接続できるようにする。情報の送信または受信のために、通信手段は、ＧＳＭ（登録商標）、ブルートゥース（登録商標）、ＷｉＦｉ無線接続などの任意の適切な無線通信プロトコルを用いることができる。ブリスターパックが高価品目を貯蔵するために用いられる場合、改ざん、または、例えば、キャビティが承認された時間窓以外で開かれる場合の、キャビティの内容物への不正アクセスのチェックに電子モジュールは用いることができる。ブリスターパックが薬剤の貯蔵に用いられる場合、電子モジュールは、薬剤が所定の投薬計画にしたがって分配されているかどうかをチェックするために用いられてもよく、この投薬計画の詳細は電子モジュールに記憶されていてもよい。このようにして電子モジュールは、ブリスターパックの内容物の分配について「リアルタイムの」監視を提供し得る。薬剤が所定の投薬計画にしたがって分配されていない場合、患者、介護者または責任ある医療専門家は、例えば電子モジュールまたは遠隔装置によって送信されるＳＭＳメッセージにより自動的に警告され得る。電子モジュールは好適にはプログラム可能であって、ブリスターパックの各キャビティの内容物や、詳細な連絡先などの患者の情報、関連する医療情報、所定の投薬計画などといった他の情報を記憶することができる。この情報は、例えばブリスターパックが電子モジュールに電気的に接続されたときのブリスターパックによって、あるいは無線自動識別（ＲＦＩＤ）または近距離無線通信（ＮＦＣ）などの任意の他の適切な手段によって、電子モジュールに与えることができる。例えば、ブリスターパックはＲＦＩＤまたはＮＦＣタグを含むことができ、電子モジュールは対応するＲＦＩＤまたはＮＦＣリーダーを含むことができる。セキュリティおよびデータ保護目的のために、患者固有識別番号およびブリスターパック識別番号が、安全なサーバおよびデータベースを介して上述の患者特有情報が照会される電子モジュールにプログラムされてもよい。これは特定のブリスターパックのみがその電子モジュールと使用されることを確実にすることができる。
【００３５】
例えば取り外し可能なクリップ、留め金またはコネクタ、電子モジュールとホルダのいずれか一方の相補的スロットまたはチャネルにスライド可能に受容される電子モジュールとホルダの他方の形状付けされた突起、スクリューなど機械的固定具などの任意の適切な手段によって、電子モジュールはホルダに取り外し可能に固定されるように構成することができる。電子モジュールは、電子モジュールを選択的にホルダに固定するためのユーザが操作可能なロック手段をさらに含むことができる。
【００３６】
電子モジュールは、リングバインダーのリングに取り外し可能に固定できるようにする手段を含むことができる。
【００３７】
本発明は、上述のようにブリスターパックを支持するホルダをさらに提供し、使用時にホルダが電子モジュールに接続されるとき、およびブリスターパックの各回路の終端点を含む部分が電子監視手段と電気的に接続するとき、ホルダは、各回路を監視するための電子監視手段を含む電子モジュールに取り外し可能に接続されるように構成される（ホルダは適宜分配チャンバを含み、キャビティの内容物がシールを通って分配されるとき内容物が分配チャンバに受容されるように、支持されたブリスターパックの各キャビティの開口が分配チャンバに面する状態で、使用時にブリスターパックを支持するように構成される）。
【００３８】
ホルダのさらなる特徴は本明細書に記載されているとおりである。
【００３９】
ホルダは、ホルダを選択的に電子モジュールに固定するためのユーザが操作可能なロック手段をさらに含むことができる。
【００４０】
本発明は、上述のようにブリスターパックと使用される装置をさらに提供し、装置は、ブリスターパックを支持するホルダ（ホルダは適宜分配チャンバを含み、キャビティの内容物がシールを通って分配されるとき内容物が分配チャンバに受容されるように、支持されたブリスターパックの各キャビティの開口が分配チャンバに面する状態で、使用時にブリスターパックを支持するように構成される）と、ブリスターパックの各回路の終端点を含む部分が電子監視手段と電気的に接続するときに各回路を監視するための電子監視手段を含む、ホルダに取り外し可能に接続される電子モジュールと、を含む。
【００４１】
ホルダおよび電子モジュールのさらなる特徴は本明細書に記載されているとおりである。
【００４２】
本発明は、上述のようにブリスターパックと使用される装置をさらに提供し、装置は、ブリスターパックを支持するホルダ（ホルダは適宜分配チャンバを含み、キャビティの内容物がシールを通って分配されるとき内容物が分配チャンバに受容されるように、支持されたブリスターパックの各キャビティの開口が分配チャンバに面する状態で、使用時にブリスターパックを支持するように構成される）と、ホルダと一体的な電子モジュール（すなわち、ホルダと一体的に形成されている、または分離して形成され、単体装置アセンブリを画定する任意の適切な手段によって永久的にホルダに接続または固定されている）であって、ブリスターパックの各回路の終端点を含む部分が、電子監視手段と電気的に接続するときに各回路を監視するための電子監視手段を含む電子モジュールと、を含む。
【００４３】
一配置において、装置は、ホルダの一部（例えば、ブリスターパックを物理的に支持し、適宜、ブリスターパックの個別のキャビティの開口と位置合わせされた開口部またはアパーチャを含むホルダの上部）および一体化した電子モジュールを画定する第１のハウジング部と、ホルダの一部（例えば、下にある開口凹部または分配チャンバ、または、シールがユーザにアクセス可能な配置におけるブリスターパックの個別のキャビティを受容するための１つまたは２つ以上の開口部、アパーチャまたはチャンバを含む下部）を画定する第２のハウジング部とを有する２つの部分からなる構造を有することができる。第１のハウジング部および第２のハウジング部はともにホルダおよび一体的な電子モジュール、すなわち装置を画定する。ハウジング部は、適切なプラスチック材料から射出成形されてもよい。
【００４４】
ホルダおよび電子モジュールのさらなる特徴は、ホルダおよび電子モジュールを取り外し可能に接続可能にする特徴は除いて、本明細書に記載されているとおりであるホルダ。
【００４５】
使用時に、ブリスターパックは、それぞれの個別のキャビティの開口がホルダに面する状態で、通常、シールは位置合わせされた開口部またはアパーチャが各キャビティにもたらされたホルダの略平坦な面に直接接触した状態で、ホルダ上に支持され得る。ブリスターパックはまた、シールがユーザにアクセス可能になるように、ホルダに設けられた開口部、アパーチャまたはチャンバ内にそれぞれの個別のキャビティが入るように支持され得る。ブリスターパックはまた、導電性トラックの終端点が電子監視手段によって監視され得るようにホルダ上に支持される。ホルダおよび電子モジュールが一体的に形成される装置の場合、ブリスターパックは、終端点を含む縁部が電子モジュールまたは装置の外側ハウジングのスロット内で受容されるように単に装置に挿入される。任意の蓋または保持手段は、ブリスターパックを装置に挿入できる開放位置から、ホルダに対して適切な位置にブリスターパックを固定する閉鎖位置へ移動させることができる。ホルダまたは外側ハウジングが、ブリスターパックの対向する縁部を保持するためのスロットまたは凹部を含む場合、ブリスターパックのトレイは装置に挿入するときわずかに屈曲させるか曲げる必要がある場合がある。ホルダおよび電子モジュールが分離して形成され、取り外し可能に接続される装置の場合、ホルダが電子モジュールに接続される前に、通常、終端点を含むブリスターパックの縁部が電子モジュールの外側ハウジングのスロット内で受容されるように、ブリスターパックはホルダに挿入されてもよい。しかしながら、ホルダおよび電子モジュールはおそらく、上述のように、ブリスターパックが装置に挿入される前に、接続されることが多い。
【００４６】
個別のキャビティがアクセス可能な一配置において、ユーザは、特定のキャビティの内容物が破ることが可能なまたは破ることが不可能なシールを通って押し出されるように、支持されたブリスターパックのトレイを押し下げることができる。破ることが不可能なシールの場合、シールはあらかじめ形成された分離線（例えば、引き裂き線、ミシン目、または切れ目）に沿って分離し、内容物は、除去可能な部分がシールの残りの部分から分離されるときに作られる開口部を通じて分配される。キャビティの内容物は、ホルダの略平坦な面に位置合わせされた開口部またはアパーチャを通り、任意の分配チャンバまたは開口凹部に入り、例えば消費者製品がチャネルの開口端または開口凹部から落ちるように装置を傾けることによって、ホルダから除去することができる。シールがアクセス可能な一配置において、ユーザは、例えば対応する個別のキャビティの内容物を分配できるように突起部を把持することによって、シールの除去可能な部分の１つを除去することができる。
【００４７】
電子モジュールは、例えば所定の投薬計画の順守のために、各キャビティの内容物がいつ分配されたかを監視する。
【図面の簡単な説明】
【００４８】
【図１】本発明の第１の実施形態による装置の上面図である。
【図２】図１のＡ−Ａ線に沿った断面図である。
【図３】ホルダと電子モジュールが分離した状態の断面図である。
【図４】本発明の第２の実施形態による装置の断面図である。
【図５】ブリスターパックの上面図である。
【図６】図５のＢ−Ｂ線に沿った断面図である。
【図７】本発明の第３の実施形態による装置の上面図である。
【図８】図７のＣ−Ｃ線に沿った断面図である。
【図９】開放位置の子供用安全機構を示している図７の装置の上面図である。
【図１０】図９のＤ−Ｄ線に沿った断面図である。
【図１１】ブリスターパックが除去された、閉鎖位置の子供用安全機構を示す図７の装置の上面図である。
【図１２】ブリスターパックが除去された、開放位置の子供用安全機構を示す図７の装置の上面図である。
【図１３】保持機構を有する本発明の第４の実施形態による装置の上面図である。
【図１４】保持機構が閉鎖位置にある図１３のＥ−Ｅ線に沿った断面図である。
【図１５】保持機構が開放位置にあり、ブリスターパックの挿入を示す図１３の装置の断面図である。
【図１６】子供用安全機構の部分の上面図である。
【図１７】さまざまな種類の子供用安全機構を示す断面図である。
【図１８】さまざまな種類の子供用安全機構を示す断面図である。
【図１９】本発明の第５の実施形態による装置の上面図である。
【図２０】図１９のＦ−Ｆ線に沿った断面図である。
【図２１】開放位置の子供用安全機構を示す図１９の装置の上面図である。
【図２２】図２１のＧ−Ｇ線に沿った断面図である。
【図２３】本発明の第６の実施形態による装置の上面図である。
【図２４】図２３のＨ−Ｈ線に沿った断面図である。
【図２５】開放位置の子供用安全機構を示している図２３の装置の上面図である。
【図２６】図２５のＩ−Ｉ線に沿った断面図である。
【図２７】本発明の第７の実施形態による装置の上面図である。
【図２８】図２７のＪ−Ｊ線に沿った断面図である。
【発明を実施するための形態】
【００４９】
本発明による装置はさまざまな消費者製品を含むブリスターパックと使用することができるが、本明細書のここから先は、所定の投薬計画によって分配されることが意図される薬剤を貯蔵するためのブリスターパックに主に焦点をあてる。
【００５０】
図５および６を参照すると、ブリスターパック４０はプラスチック材料製のトレイ４２を含み、その中に２×７配列の個別のキャビティ４４が形成される。キャビティ４４は、トレイ４２の略平らな上面に接着されたシール４６によって閉鎖される。各キャビティ４４は、１つまたは２つ以上の丸薬、錠剤およびカプセルの形の薬剤を含む。ブリスターパック４０は、各キャビティ内に１回分のみの同じ薬剤を含むことができるか、あるいは薬剤を混ぜて入れることができる。
【００５１】
導電性トラックのパターン（図示せず）は、キャビティ４４のそれぞれについて回路を画定するためにシール４６の表面上に印刷される。各回路は、キャビティの内容物がシール４６を通って分配されるときに遮断されるように、対応するキャビティ４４に位置合わせされたシールの一部に延びている。
【００５２】
シール４６の縁部４８は、各回路の始点と終点である一連の終端点５０を含む。
【００５３】
第１の実施形態による装置１Ａが図１〜３に示されている。
【００５４】
装置１Ａは、ブリスターパック４０を支持するように構成されるホルダ２を含む。ホルダ２は、インテグラルヒンジ８によって結合される基部４および蓋６を含む。
【００５５】
蓋６は周縁フランジ１０を含み、ブリスターパック４０のキャビティ４４を受容するように成形され、寸法決めされた、２×７配列の開口部１２を有して形成される。
【００５６】
基部４は、分配チャンバの外周を画定する、底壁１６と上壁１８との間に広がる側壁１４を含む。分配チャンバは、壁２４によって２つのチャネル２０、２２に分けられる。
【００５７】
図１〜３に示すように蓋が閉鎖位置にあるとき、チャネル２０、２２は蓋６の開口部１２と位置合わせされる。基部４の上壁１８はまた、開口部１２と位置合わせされた２×７配列の開口部２６を有する。開口部２６は、基部４の上壁１８を通るチャネル２０、２２へのアクセスを与える。
【００５８】
ホルダは、特に、２×７配列のキャビティ４４を有する図５および６に示されるブリスターパックとの使用に適していることが容易に理解される。さまざまな種類のブリスターパックはさまざまなホルダを必要とする。例えば、ブリスターパックが４×７配列のキャビティを有する場合、ホルダは蓋内に対応する４×７配列の開口部と、上面に対応する４×７配列の開口部と、基部に並んで配置された４つのチャネルとを有する。電子モジュール３０はさまざまな種類のホルダおよびブリスターパックとの使用が可能である。言い換えれば、全ての異なる種類のホルダは同じ接続機構を有し、それによって全ての異なる種類のホルダは電子モジュールに取り外し可能に接続でき、全ての異なるブリスターパックは、例えば電子モジュールによって監視され得る適合する一連の終端点または終端点の配列を有するなど、ホルダによって支持されるとき電子モジュールと適合する。電子モジュールがスロット内にブリスターパックを保持するためのユーザが操作可能なロック手段を含む場合、全ての適合するブリスターパックは適宜、適合するロック機構を備える。電子モジュールはまた、ホルダなしで使用されるように設計された他の種類のブリスターパックまたは分配容器と接続することができる。さらにそのような電子モジュールは、ホルダと取り外し可能に接続可能とするために必要な接続機構も含み、本発明の範囲内に含まれる。
【００５９】
各チャネル２０、２２の少なくとも一方の端部は開放されている。
【００６０】
ホルダ２の底壁１６は、ホルダが電子モジュール３０に取り外し可能に接続できるように構成された、外側に突出する部分またはフランジ２８を含む。
【００６１】
電子モジュール３０は、電源（例えば電池）、それぞれの回路を監視するためのマイクロプロセッサまたは類似の装置、情報を記録および記憶するメモリ、情報を遠隔装置からアップロードまたはダウンロードできるようにする任意の通信ユニットなどの適切な回路要素を囲む単体構造または複数部分構造の外側ハウジング３２を含む。電子モジュール３０は、患者の詳細、関連する医療情報および所定の投薬計画、すなわちブリスターパックの各キャビティに貯蔵された薬剤がいつ分配されるべきかに関する情報でプログラムされてもよい。プログラムは無線通信によって行われてもよいし、遠隔装置またはブリスターパックに有線接続されることによって行われてもよい。セキュリティおよびデータ保護目的のために、患者固有識別番号およびブリスターパック識別番号が、安全なサーバおよびデータベースを介して上述の患者特有情報が照会される電子モジュールにプログラムされてもよい。
【００６２】
下記に詳述するように、ホルダ２が使用時に電子モジュール３０に接続されるとき、終端点５０が設けられたブリスターパック４０の縁部４８が、外側ハウジング３２の側面上のスロット３４に受容される。ブリスターパック４０は、ユーザが操作可能なロック手段（図示せず）または他の適切なロック機構または係合機構によって、選択的にスロット内の適切な位置に保持され得る。ブリスターパック４０がスロット３４内に適切に挿入されるとき、電子モジュール３０は、終端点５０と電気的に接続する端子を含むことができる。
【００６３】
外側ハウジング３２は、電子モジュール３０がホルダ２のフランジ２８に取り外し可能に接続できるように構成される。フランジ２８および外側ハウジング３２のいずれかまたは両方は、これを促すために任意の適切な接続機構を備えてもよいことが容易に理解される。例えば、電子モジュール３０およびホルダ２は、取り外し可能なクリップ、留め金またはコネクタ、フランジ２８および外側ハウジング３２のいずれか一方の相補的スロットまたはチャネルに受容される、フランジ２８および外側ハウジング３２の他方の形状付けされた突起、スクリューなどの機械的固定具などを用いて、取り外し可能に互いに固定することができる。第１の実施形態において、接続機構はフランジ２８および外側ハウジング３２の底面に設けられるが、代替的または付加的な接続特徴がまた、外側ハウジング３２の側面３２ａ（すなわちスロット３４の下方）および対向する基部４の側面４ａに設けることができる。
【００６４】
装置１を使用するために、ホルダ２は電子モジュール３０に接続される。図３は、電子モジュール３０およびホルダ２が取り外し可能に接続される前の別々の構成要素として示されている。蓋６は、開放位置に移動させられ、ブリスターパックトレイの縁部４８を外側ハウジング３２のスロット３４に挿入し、各キャビティ４４の開口が上面の開口部２６に面する状態で基部４の略平らな上面１８にブリスターパックを配置することによって、ブリスターパック４０はホルダ２にセットされる。その後キャビティ４４が蓋の開口部１２を通って受容されるように、蓋６は、図１〜３に示される閉鎖位置に移動させることができる。したがってブリスターパック４０は、基部４の上面１８と蓋６との間にしっかりと位置づけられる。蓋６の開口部１２はまた、ブリスターパック４０がホルダ２の基部４に対して適切に位置合わせされることを確実にする。ホルダが電子モジュール３０に接続される前に、ブリスターパック４０がホルダ２に挿入されることも可能である。
【００６５】
ブリスターパックのキャビティ４４に貯蔵された薬剤は、上から薬剤がシール４６を通って押し出されることによって分配することができる。シールを通って押し出された任意の薬剤は、基部４の対応する開口部２６を通り、下にあるチャネル２０、２２に入る。装置１Ａが角度を変えられる、または傾けられる場合、薬剤はチャネルの開口端からユーザの手または適切な入れ物にスライドする。
【００６６】
薬剤がシール４６を通って押し出されることによって、特定のキャビティ４４に対応する回路が遮断される。回路が遮断されたことは、電子モジュール３０のマイクロプロセッサによって検出される。マイクロプロセッサは、どの回路が遮断されたか、および内容物が分配された時刻を記録することができる。これは、投薬量順守を確実にするために、記憶された所定の投薬計画と対照して比較することができる。所定の投薬計画が、薬剤が適切に分配されていないことを示す（例えば、回路が正しい時間範囲内に遮断されていない、または不適切な回路が遮断されている）場合、電子モジュール３０または遠隔装置は警報または警告を送ることができる。特定のキャビティの内容物が分配される必要があるとき、電子モジュール３０または遠隔装置はまた、ユーザに気付かせることができ、これは適宜、ＳＭＳメッセージまたは視覚警報または可聴警報によって達成することができる。
【００６７】
第２の実施形態による装置１Ｂが図４に示されている。装置１Ｂは図１〜３に示される装置１Ａに類似しており、類似の構成要素は同じ符号が与えられる。この場合、ホルダ２Ｂは蓋を含まず、基部４Ｂは、チャネルを画定するフック部３６を含み、その中にブリスターパックの対向する縁部を留めることができる。実際には、縁部４８は外側ハウジング３２のスロット３４に挿入され、その後、ブリスターパックのトレイはわずかに屈曲または曲げられ、対向する縁部５２はフック部３６の下に挿入することができる。ブリスターパックをホルダ上にしっかりと支持する他の方法が用いられてもよい。
【００６８】
第３の実施形態による装置１Ｃが図７〜１２に示されている。装置１Ｃは、図１〜４に示される装置１Ａおよび１Ｂと同様の方法で操作されるが、ホルダおよび電子モジュールは、取り外し可能に接続されない。
【００６９】
装置１Ｃは、２つの部分からなる外側ハウジング５４を含む。外側ハウジング５４の上部５６は、ホルダを画定し、上述のようにブリスターパック４０を支持するように構成される略平坦な面５８を含む。電子モジュール６０は外側ハウジング５４の上部５６と一体化する。外側ハウジングの上部５６は、周縁フランジ６２を含み、ブリスターパック４０のキャビティ４４に位置合わせされた２×７配列の開口部６４を備えて形成される。
【００７０】
外側ハウジング５４の下部（または基部）６６は、分配チャンバ６８の外周を画定する。
【００７１】
子供用安全機構７０は分配チャンバ６８内に配置され、分配チャンバの縦軸と平行な方向に前後にスライド可能である。子供用安全機構７０は、図１６および１７により詳細に示され、開口部７４の配列を有する上部７２および側壁７６を含んでいる。代替的な子供用安全機構７８が図１８に示され、開口部の配列を有する上部８０、側壁８２、分配チャンバを１組のチャネル８６ａ、８６ｂに分ける中間壁８４を含んでいる。子供用安全キャリア７０の上部７２の開口部７４の配列は、子供用安全機構が図９、１０および１２に示される開放位置にあるとき、すなわち子供用安全機構がハウジングの上部を越えて延びるように外側ハウジング５４に対して移動させられる場合、外側ハウジング５４の上部５６の開口部６４に位置合わせされる。子供用安全機構７０が図７、８および１１に示される閉鎖位置にあるとき、子供用安全機構の上部７２の開口部７４は外側ハウジング５４の上部５６の開口部６４に位置合わせされず、よって外側ハウジング５４の上部５６の開口部６４は、子供用安全機構の上部によって（すなわち開口部７４間の上部の残りの部分によって）事実上ブロックされる。子供用安全機構７０が開放位置に移動させられるときのみ、ブリスターパック４０の個別のキャビティ４４の内容物は開口部６４を通って押し出され、下の分配チャンバ６８に入れることができる。
【００７２】
図１１および１２において、子供用安全機構が外側ハウジング５４の上部の開口部６４を通じてよりはっきりと見えるように、ブリスターパック４０が除去されたことが容易に理解される。
【００７３】
子供用安全機構７０を分配チャンバ６８内で長手方向にスライド可能とするために、ユーザはまず、装置１Ｃの側面のキャリアロック機構（図示せず）を解除しなければならない。図７および１１の矢印が示すように、キャリアロック機構が解除されない限り、薬剤が分配チャンバ６８を通じて装置から分配できないように、子供用安全機構７０は、外側ハウジング５４の上部５６の開口部６４を覆う閉鎖位置にとどまる。子供用安全機構７０は、子供用安全機構を開放位置に移動させる前にユーザが容易に把持できる部分を含むことができる。通常は、キャリアロック機構は、片手で解除され、それと同時に子供用安全機構７０は他方の手で開放位置（すなわちその移動の限界）に移動させられる。
【００７４】
外側ハウジング５４内の電子モジュール６０は、電源（例えば電池）、それぞれの回路を監視するためのマイクロプロセッサまたは類似の装置、情報を記録および記憶するメモリ、情報を遠隔装置からアップロードまたはダウンロードできるようにする任意の通信ユニットなどの適切な回路要素を含む。電子モジュール６０は、患者の詳細、関連する医療情報および所定の投薬計画、すなわちブリスターパックの各キャビティに貯蔵された薬剤がいつ分配されるべきかに関する情報でプログラムされてもよい。プログラムは無線通信によって行われてもよいし、遠隔装置またはブリスターパックに有線接続されることによって行われてもよい。セキュリティおよびデータ保護目的のために、患者固有識別番号およびブリスターパック識別番号が、安全なサーバおよびデータベースを介して上述の患者特有情報が照会される電子モジュールにプログラムされてもよい。
【００７５】
ブリスターパック４０の縁部４８は外側ハウジング５４またはより詳細には上部５６のスロット８８内に受容される。ブリスターパック４０は、ユーザが操作可能なロック手段（図示せず）または他の適切なロックまたは係合機構によって、選択的にスロット８８内の適切な位置に保持され得る。電子モジュール６０は、ブリスターパック４０がスロット８８に適切に挿入されるとき、終端点５０と電気的に接続する端子を含むことができる。
【００７６】
第４の実施形態による装置１Ｄが図１３〜１５に示されている。装置１Ｄは、図７〜１２に示される装置１Ｃに類似しており、類似の部品は同じ符号が与えられる。
【００７７】
外側ハウジング５４の下部６６は、装置の横軸と平行な方向に前後に移動させることができる保持機構９０を含む。保持機構９０は、下部９２、側部９４およびフック部９６を含む。保持機構９０が図１３および１４に示される閉鎖位置にあるとき、フック部９６は隣接する周縁フランジ６２の上で延び、ブリスターパック４０が使用時に受容される浅い凹部の上にわずかに延びる。保持機構９０が図１５に示される開放位置にあるとき、フック部９６は浅い凹部の上に延びず、隣接する周縁フランジ６２から間隔をあけて位置する。
【００７８】
図１５は、保持機構９０が開放位置にあるとき、どのようにブリスターパック４０が装置１Ｄに挿入されるかを示している。
【００７９】
保持機構９０が閉鎖位置にあるとき、子供用安全機構７０は上述のように操作することができる。
【００８０】
通常は、保持機構９０は、子供用安全機構７０が開放位置に移動させられた後にのみ、閉鎖位置から開放位置へ移動させることができる。これは、キャリアロック機構（図示せず）が解除されることを必要とする。ブリスターパック４０が装置１Ｄに挿入されると、保持機構９０は閉鎖位置に移動させられ、子供用安全機構７０は、閉鎖（およびロック）位置に移動させられ、ブリスターパックを除去することができない閉鎖位置に、保持機構を維持する。
【００８１】
第５の実施形態による装置１Ｅが図１９〜２２に示されている。装置１Ｃは２つの部分からなる外側ハウジング９８を含む。電子モジュール１００は外側ハウジング９８の上部１０２と一体化する。外側ハウジング９８の下部１０４は、ブリスターパック４０の縁部を保持するためのフックフランジ１０６を含む。ブリスターパック４０を物理的に支持するホルダは、外側ハウジング９８の上部１０２および下部１０４によって画定される。ブリスターパックは、外側ハウジング９８の上部１０２のスロット１１４の下面１１４ａおよび外側ハウジングの下部１０４の対応する面１０４ａによって画定される略平坦な面と直接接触する。
【００８２】
上述の装置１Ａ〜１Ｄにおいて、キャビティ４４がユーザにアクセス可能なようにブリスターパック４０は挿入される。装置１Ｅにおいて、キャビティ４４が外側ハウジング９８の下部１０４によって主に画定されるチャンバ１０８に配置されるように、ブリスターパック４０は挿入される。したがって装置１Ｅは、下にあるキャビティの内容物がシールに新たに作られた開口部を通じて分配されるように、シールの残りの部分から対応する除去可能な部分を除去する前に、シール４６がユーザが把持できる突起部を適宜含む除去可能な部分を備える、破ることが不可能なシールであるブリスターパックと使用するのに適している。
【００８３】
子供用安全機構１１０は、ブリスターパック４０のシールに隣接して配置され、フックフランジ１０６および外側ハウジング９８の上部１０２に設けられた第１のスロット１１２によって、適切な位置に保持される。ブリスターパック４０は、子供用安全機構１１０と２つの部分からなる外側ハウジング９８との間に配置され、ブリスターパックの縁部４８は、外側ハウジングの上部１０２に設けられたスロット１１４内に受容される。
【００８４】
子供用安全機構１１０は、装置１Ｅの縦軸と平行な方向に前後にスライド可能である。子供用安全機構が図２１および２２に示される開放位置あるとき、すなわち子供用安全機構が外側ハウジングの上部を越えて延びるように外側ハウジング９８に対して移動させられる場合、子供用安全機構１１０は、個別のキャビティ４４の開口、したがってシールの除去可能な部分に位置合わせされる開口部１１６の配列を含む。子供用安全機構１１０が図１９および２０に示される閉鎖位置にあるとき、子供用安全機構の開口部１１６は個別のキャビティ４４の開口に位置合わせされず、よってシールの除去可能な部分は、子供用安全機構によって事実上ブロックされまたは覆われ、ユーザはアクセス不可能である。子供用安全機構１１０が開放位置に移動させられるときのみ、シールの除去可能な部分に適切にアクセス可能で、シールの除去可能な部分は除去され、下にある個別のキャビティ４４の内容物はシールに新たに作られた開口部を通じて分配することができる。
【００８５】
子供用安全機構１１０を長手方向にスライド可能とするために、ユーザはまず、装置１Ｅの側面のキャリアロック機構（図示せず）を解除しなければならない。図１９の矢印が示すように、キャリアロック機構が解除されない限り、子供用安全機構１１０は、シールの除去可能な部分を覆う閉鎖位置にとどまる。子供用安全機構１１０は、子供用安全機構を開放位置に移動させる前にユーザが容易に把持できる部分を含むことができる。通常は、キャリアロック機構は、片手で解除され、同時に子供用安全機構１１０は他方の手で開放位置（すなわちその移動の限界）に移動させられる。
【００８６】
電子モジュール１００は、上述の電子モジュール６０と類似しており、同様に作動する。特に、ブリスターパック４０がスロット１１４に適切に挿入されるとき、電子モジュール１００は、終端点５０と電気的に接続する端子を含むことができる。装置１Ｄの上述の保持機構はまた、この特定の装置と用いられてもよい。
【００８７】
第６の実施形態による装置１Ｆは、図２３〜２６に示されている。装置１Ｆは図１９〜２２に示される装置１Ｅに類似しており、類似の部品は同じ符号が与えられる。
【００８８】
装置１Ｆは、外側ハウジング９８の上部１０２に設けられたキャリアロック機構１１８ａ、１１８ｂを含む。子供用安全機構１１０を長手方向にスライド可能とするために、ユーザはまず、図２３の矢印が示すように、キャリアロック機構１１８ａ、１１８ｂを互いの方へ移動させることによってキャリアロック機構１１８ａ、１１８ｂを解除しなければならない。キャリアロック機構１１８ａ、１１８ｂが解除されなければ、子供用安全機構１１０は、薬剤が個別のキャビティ４４から分配されないようにシールの除去可能な部分を覆う閉鎖位置に留まる。キャリアロック機構１１８ａ、１１８ｂは、上述の任意の他の装置１Ｃ〜１Ｅと使用することができる。
【００８９】
第７の実施形態による装置１Ｇは、図２７および２８に示されている。装置１Ｇは、図７〜１２に示される装置１Ｃに類似しており、類似の部品は同じ符号が与えられる。
【００９０】
装置１Ｇは、分配チャンバ６８の代わりに開口凹部６８Ｇを含む代替的な下部６６Ｇを含む。子供用安全機構７０は開口凹部６８Ｇ内に配置され、開口凹部の縦軸と平行な方向に前後にスライドする。それ以外は、子供用安全機構７０は上述と同じように操作される。装置１Ｄの保持機構および／または装置１Ｆの代替的なキャリア解放機構は、開口凹部を含む下部と使用できる。
【図１】
2015536879.tif 000003
【図２】
2015536879.tif 000004
【図３】
2015536879.tif 000005
【図４】
2015536879.tif 000006
【図５】
2015536879.tif 000007
【図６】
2015536879.tif 000008
【図７】
2015536879.tif 000009
【図８】
2015536879.tif 000010
【図９】
2015536879.tif 000011
【図１０】
2015536879.tif 000012
【図１１】
2015536879.tif 000013
【図１２】
2015536879.tif 000014
【図１３】
2015536879.tif 000015
【図１４】
2015536879.tif 000016
【図１５】
2015536879.tif 000017
【図１６】
2015536879.tif 000018
【図１７】
2015536879.tif 000019
【図１８】
2015536879.tif 000020
【図１９】
2015536879.tif 000021
【図２０】
2015536879.tif 000022
【図２１】
2015536879.tif 000023
【図２２】
2015536879.tif 000024
【図２３】
2015536879.tif 000025
【図２４】
2015536879.tif 000026
【図２５】
2015536879.tif 000027
【図２６】
2015536879.tif 000028
【図２７】
2015536879.tif 000029
【図２８】
2015536879.tif 000030
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
使用時にブリスターパックを支持するホルダであって、前記ブリスターパックは、消費者製品を受容するための１つまたは２つ以上の個別のキャビティを有するトレイと、前記１つまたは２つ以上の個別のキャビティをシールするために前記トレイに接着されるシールとを有し、前記シールはキャビティごとに回路を画定する導電性トラックのパターンを有し、前記ホルダは、前記ホルダが使用時に電子モジュールに接続されるとき、および前記ブリスターパックの各回路の終端点を含む部分が電子監視手段と電気的に接続するとき、各回路を監視するための前記電子監視手段を含む前記電子モジュールに取り外し可能に接続されるように構成され、
前記ホルダは、１つまたは２つ以上の開口部を含み、各開口部が、使用時に支持された前記ブリスターパックの対応する個別のキャビティの開口と位置合わせされ、前記ホルダは、各個別のキャビティの開口が前記ホルダの対応する開口部に面する状態で、使用時に前記ブリスターパックを支持するように構成され、
前記ホルダは、分配された個別のキャビティの内容物を受容するために前記１つまたは２つ以上の開口部と連通する分配チャンバを含み、
前記分配された個別のキャビティの内容物が、前記ホルダから除去できるように、前記分配チャンバの少なくとも１つの端部が開口部を含むホルダ。
【請求項２】
前記ホルダの略平坦な面が前記ブリスターパックを受容するための浅い凹部を含む、請求項１記載のホルダ。
【請求項３】
前記ブリスターパックの個別のキャビティの配列に対応する開口部の配列をさらに備える、請求項１記載のホルダ。
【請求項４】
前記ホルダは、前記ブリスターパックのシールが前記ホルダの略平坦な面と直接接触した状態で、使用時に前記ブリスターパックを支持するように構成される、請求項１記載のホルダ。
【請求項５】
使用時に前記ブリスターパックの縁部を保持するための、スロットまたは凹部をさらに備える、請求項１記載のホルダ。
【請求項６】
前記分配チャンバが、２つまたは３つ以上のチャネルを含む、請求項１記載のホルダ。
【請求項７】
使用時に前記ブリスターパックを前記ホルダに対して位置合わせするための位置合わせ機構をさらに備える、請求項１記載のホルダ。
【請求項８】
前記ホルダを選択的に前記電子モジュールに固定するための、ユーザが操作可能なロック手段をさらに備える請求項１記載のホルダ。
【請求項９】
消費者製品を受容するための１つまたは２つ以上の個別のキャビティを有するトレイと、前記１つまたは２つ以上の個別のキャビティをシールするために前記トレイに接着されるシールとを有するブリスターパックとの使用のための装置であって、前記シールがキャビティごとに回路を画定する導電性トラックのパターンを有し、
前記装置は、
前記ブリスターパックを支持するホルダと、
前記ホルダに取り外し可能に接続される電子モジュールとを備え、
前記電子モジュールが、前記ブリスターパックの各回路の終端点を含む部分が電子監視手段と電気的に接続するとき、前記電子モジュールが各回路を監視するための前記電子監視手段を含み、
前記ホルダは、１つまたは２つ以上の開口部を含み、各開口部が、使用時に支持された前記ブリスターパックの対応する個別のキャビティの開口と位置合わせされ、前記ホルダは、各個別のキャビティの開口が前記ホルダの対応する開口部に面する状態で、使用時に前記ブリスターパックを支持するように構成され、
前記ホルダは、個別のキャビティの分配された内容物を受容するために前記１つまたは２つ以上の開口部と連通する分配チャンバを含み、
前記分配チャンバの少なくとも１つの端部が、個別のキャビティの分配された内容物が前記ホルダから除去できるように開口部を含む、装置。
【請求項１０】
消費者製品を受容するための１つまたは２つ以上の個別のキャビティを有するトレイと、前記１つまたは２つ以上の個別のキャビティをシールするために前記トレイに接着されるシールとを有するブリスターパックとの使用のための装置であって、前記シールがキャビティごとに回路を画定する導電性トラックのパターンを有し、
前記装置は、
前記ブリスターパックを支持するホルダと、
前記ホルダと一体化した電子モジュールとを備え、
前記電子モジュールが、前記ブリスターパックの各回路の終端点を含む部分が電子監視手段と電気的に接続するとき、前記電子モジュールが各回路を監視するための前記電子監視手段を含み、
前記ホルダは、１つまたは２つ以上の開口部を含み、各開口部が、使用時に支持された前記ブリスターパックの対応する個別のキャビティの開口と位置合わせされ、前記ホルダは、各個別のキャビティの開口が前記ホルダの対応する開口部に面する状態で、使用時に前記ブリスターパックを支持するように構成され、
前記ホルダは、個別のキャビティの分配された内容物を受容するために前記１つまたは２つ以上の開口部と連通する分配チャンバを含み、
前記分配チャンバの少なくとも１つの端部が、個別のキャビティの分配された内容物が前記ホルダから除去できるように開口部を含む、装置。
【請求項１１】
前記ホルダの一部および前記一体化した電子モジュールを画定する第１のハウジング部と、第２のハウジング部とを有する２つの部分からなる構造を有する、請求項１０記載の装置。
【請求項１２】
前記電子モジュールまたは第１のハウジング部が、使用時に前記ブリスターパックの縁部が挿入されるスロットをさらに備える、請求項９記載の装置。
【請求項１３】
前記スロットが、単体構造または複数部分構造の外側ハウジングに設けられる、請求項１２記載の装置。
【請求項１４】
前記電子監視手段が、使用時に前記ブリスターパックの前記終端点と電気的に接続する接点を含む、請求項９記載の装置。
【請求項１５】
前記電子モジュールが、情報を記憶するためのメモリユニットをさらに備える、請求項９記載の装置。
【請求項１６】
前記電子モジュールが、情報を送信および／または受信するための通信ユニットをさらに備える、請求項９記載の装置。
【請求項１７】
前記電子モジュールがプログラム可能である請求項９記載の装置。
【請求項１８】
前記電子モジュールまたは第１のハウジング部が、使用時に前記ブリスターパックの縁部が挿入されるスロットをさらに含む、請求項１０記載の装置
【請求項１９】
前記スロットが単体構造または複数部分構造の外側ハウジングに設けられる、請求項１０記載の装置。
【請求項２０】
前記電子監視手段が、使用時に前記ブリスターパックの前記終端点と電気的に接続する接点を含む、請求項１０記載の装置。
【請求項２１】
前記電子モジュールが、情報を記憶するためのメモリユニットをさらに備える、請求項１０記載の装置。
【請求項２２】
前記電子モジュールが、情報を送信および／または受信するための通信ユニットをさらに備える、請求項１０記載の装置。
【請求項２３】
前記電子モジュールがプログラム可能である請求項１０記載の装置。
【国際調査報告】
2015536879.tif 000031
2015536879.tif 000032
2015536879.tif 000033